(57)【特許請求の範囲】
【請求項１】
ａ．可視光を生成する１つ以上の可視光源と、
ｂ．紫外光を生成する１つ以上の紫外光源と、
ｃ．前記可視光の透過を可能にするように位置決めされている射出窓と、
ｄ．前記射出窓の上流、かつ、前記１つ以上の可視光源の下流に位置決めされている光互変性層であって、第１の色状態及び第２の色状態を持つ紫外光互変性材料を備える少なくとも１つの領域を有する光互変性層と、
ｅ．前記光互変性層を照明するように配されている前記１つ以上の紫外光源を制御する１つ以上の前記紫外光源に接続されている制御ユニットと、
を有するハウジングを有する照明装置であって、前記光互変性層は、異なる回復期間を有する異なる紫外光互変性材料を備えている少なくとも２つの領域を有する、照明装置。
【請求項２】
各々が、動作中、前記光互変性層の異なる領域を露光するように配されている２つ以上の紫外光源を有する、請求項１に記載の照明装置。
【請求項３】
前記制御ユニットは、互いに独立に前記２つ以上の紫外光源を制御するように配される、請求項２に記載の照明装置。
【請求項４】
前記光互変性材料が前記光射出窓の内側に設けられている、請求項１乃至３の何れか一項に記載の照明装置。
【請求項５】
前記１つ以上の紫外光源の下流、かつ、前記光互変性材料の上流に設けられている紫外線フィルタであって、所定の回復期間を有する紫外線フィルタを更に有する、請求項１乃至４の何れか一項に記載の照明装置。
【請求項６】
赤外光を生成する赤外光源を更に有する請求項５に記載の照明装置であって、前記紫外線フィルタは、熱散乱材料を有している、照明装置。
【請求項７】
前記光射出窓の下流における紫外線フィルタを更に有している、請求項１乃至６の何れか一項に記載の照明装置。
【請求項８】
前記コントローラは、前記紫外光源を制御するためにＰＷＭ信号を生成する、請求項１乃至７の何れか一項に記載の照明装置。
【請求項９】
前記コントローラは、前記第１の色状態から前記第２の色状態までの遷移を制御するためのＰＷＭ信号を生成する、請求項８に記載の照明装置。
【請求項１０】
前記コントローラは、前記第２の色状態から前記第１の色状態までの遷移を制御するためのＰＷＭ信号を生成する、請求項８又は９に記載の照明装置。
【請求項１１】
前記コントローラが、前記紫外光光互変性材料の色の強度を制御する、請求項１乃至１０の何れか一項に記載の照明装置。
【請求項１２】
前記紫外光源は、前記紫外光のスポットを前記光互変性材料上に生成するように配されており、前記照明装置は、前記光互変性材料全体にわたって紫外光のスポットを導くためのビームコントローラを更に有する、請求項１乃至１１の何れか一項に記載の照明装置。
【請求項１３】
前記光互変性層が着脱可能なユニットの一部である、請求項１乃至１２の何れか一項に記載の照明装置。
【請求項１４】
請求項１に記載の照明装置における使用のための着脱可能なユニットを生成するために、少なくとも
透明体と、
光互変性インクを備えている容器と、
オプションとしてのフェージングパターンを生成するための紫外線ＬＥＤペンを備える前記光互変性層上に書くための手段と、
を有する要素の一式。
【発明の詳細な説明】
【技術分野】
【０００１】
本発明は、照明装置に関する。より詳細には、本発明は、動的な照明効果を生成する照明装置に関する。
【背景技術】
【０００２】
ＲＧＢ光は、多くの外観において利用可能である。多くのものが、色及び強度設定の可変範囲を提供している。大部分の場合、ＧＯＢＯ（Goes Before Optics又はGraphical Optical BlackOut）又はプロジェクタの類の装置のような、ディスコにおいて使用される投射ランプを別として、動的な効果は、提供されていない。これらの装置は、光を変調する機械的な回転輪、スライド又はＬＣＤ及びＤＬＰ（デジタル照明処理）の類の技術に基づき得る。動的な効果は、閃光又は色が変化する光も含んでおり、これらの場合において、照明効果は、動的である一方で、供給源は静止している。
【０００３】
投射されるパターンは、回転輪又はスライドによって動的な光パターンを得るために交替されるべきである。このことは、当該照明装置を、比較的大きい照明装置の構造によって機械的に複雑なものにする。ＬＣＤ及びＤＬＰの類の技術の使用は、電気的に複雑であり、全ての可能なフィーチャを利用するための専用の知識をユーザに要求する。
【０００４】
光互変性材料の使用が、従来技術において知られている。例えば、米国特許第５，２２８，７６７号は、紫外光にさらされる昼間の時間においてヘッドライトが目立たないような、光互変性ガラスから製造されるヘッドライトレンズを開示している。紫外光がない、夜において、このレンズは、透明であり、内部のヘッドライトからの光を発する。
【発明の概要】
【発明が解決しようとする課題】
【０００５】
動的な照明効果を可能にする代替的な照明装置を提供することが、望ましい。従来技術のランプは、移動部（例えば、回転輪又はスライド）の不利な点を有することがあると共に、複雑な構造を有することがある。
【０００６】
従って、本発明の目的は、好ましくは、少なくとも部分的に上述の不利な点の１つ以上を取り除く代替的な照明装置を提供することにある。本発明は、動的な照明効果を生成する代替的な照明装置を提供することにある。
【課題を解決するための手段】
【０００７】
本発明の第１の見地によれば、
−  ａ．可視光を生成する１つ以上の可視光源；
−  ｂ．紫外光を生成する１つ以上の紫外光源；
−  ｃ．前記可視光の透過を可能にするように位置決めされている射出窓；
−  ｄ．前記光射出窓の上流、かつ、前記１つ以上の可視光源の下流に位置決めされている光互変性層であって、第１の色状態及び第２の色状態を有する紫外光互変性材料を備える少なくとも１つの領域を有する光互変性層；及び
−  ｅ．前記光互変性層を照明するように配されている前記１つ以上の紫外光源を制御するために、前記１つ以上の紫外光源に接続されている制御ユニット；
を有する照明装置が提供される。
【０００８】
このようにして、有利には、動的な光パターンを生成する代替的な照明装置が、提供される。本発明による照明装置は、動的な光パターンを得るために、紫外光光互変性材料を使用する。
【０００９】
光互変とは、電磁放射の吸収による２つの形態間の化学種の可逆的な変換であり、前記２つの形態は、異なる吸収スペクトルを有するものをいう。光互変は、厳密な定義を有さないが、通常、電磁スペクトルの可視光部分の吸収帯の強さ又は波長が劇的に変化する可逆的な光化学反応を被る化合物を記述するのに使用されている。第１の状態において可視光を実質的に吸収せず、紫外光によって活性化されると、第２の状態において前記可視光の一部を実質的に吸収する紫外光光互変性材料が、市場に存在する。この紫外光がオフに切り換えられた後、前記光互変性材料は、前記第２の状態から前記第１の状態にフェード（fade）する。本発明によれば、前記光互変性層は、前記可視光源からの可視光のための動的な色フィルタとして使用される。
【００１０】
一実施例において、前記光互変性層は、異なる回復期間を有する異なる紫外光互変性材料を備える少なくとも２つの領域を有している。このフィーチャは、前記照明装置の動的な照明効果を改善する。
【００１１】
一実施例において、前記装置は、２つ以上の紫外光源を有しており、前記２つ以上の紫外光源の各々は、動作中、前記光互変性層の異なる領域を露光するように配されている。このフィーチャは、互いから独立に前記光互変性層の異なる領域を活性化させる実現性を提供している。更なる実施例において、前記制御ユニットは、互いから独立に前記２つ以上の紫外光源を制御する。これらのフィーチャは、前記照明装置の動的な照明効果を更に改善する。
【００１２】
一実施例において、前記光互変性材料は、光射出窓の内側に設けられている。
【００１３】
一実施例において、前記照明装置は、１つ以上の前記紫外光源の下流、かつ、前記光互変性材料の上流に設けられている紫外線フィルタを更に有し、前記紫外線フィルタは、所定の回復期間を有する。更なる実施例において、当該装置は、赤外光を生成する赤外光源を有し、前記紫外線フィルタは、熱散乱（thermoscattering）材料を有している。これらのフィーチャは、１つの紫外光源からの紫外光の異なる強度によって光互変性材料の異なる領域を照明する手段を提供する。従って、異なる色の強度を有する２つの領域は、動作中、光互変性材料の１つの領域内で得られることができる。
【００１４】
一実施例において、当該装置は、前記光射出窓の下流に紫外線フィルタを有している。このフィーチャによって、当該動的な照明効果が外部の紫外光源（例えば、日光）に実質的に無感応になる。このようにして、太陽からの紫外光は、実質的に前記光互変性材料は到達することができず、この結果、前記光互変性材料は、実質的に前記紫外光源のみによって対処される。
【００１５】
一実施例において、前記コントローラは、前記紫外光源を制御するためのＰＷＭ（パルス幅変調）信号を生成する。更なる実施例において、前記コントローラは、前前記光互変性材料の前記第１の色状態から前記第２の色状態までの遷移を制御するためのＰＷＭ信号を生成する。これらのフィーチャによって、前記光互変性材料が露光される紫外光の強度を制御することが可能になり、従って、時間内の紫外光の量を制御することが可能になる。供給される紫外光の量は、前記光互変性材料の活性化の程度、従って前記光互変性材料の色の強度を決定する。この動的な照明効果は、前記光互変性材料が露光される紫外光の強度及び量が制御されるという点において更に改善されている。
【００１６】
更なる実施例において、前記コントローラは、前記第２の色状態から前記第１の色状態までの遷移を制御するためのＰＷＭ信号を生成する。前記光互変性材料を、前記第２の色状態（即ち活性化状態）から前記第１の色状態（即ち非活性化状態）へのフェードの間の減少された量の紫外光への露光は、前記光互変性材料の一部を再び活性化させ、前記光互変性材料の完全な活性化状態から完全な非活性化状態までの期間を延長する。
【００１７】
一実施例において、前記コントローラは、この紫外光互変性材料の色の強度を制御する。所定の期間において、最少量の紫外光が、前記光互変性材料を完全に活性化するために供給されなければならない。この最小量未満の量の紫外光が供給される場合、前記光互変性材料の一部のみが活性化されるであろう。活性化される材料の割合が、当該材料の色の強度を決定する。前記色の強度の制御は、前記動的な照明効果を更に変化させるのに役立つ。
【００１８】
一実施例において、紫外光源は、光互変性材料上に紫外光のスポットを生成するように配されており、当該照明装置は、前記光互変性材料全体にわたって紫外光のスポットを指向するためのビームコントローラを更に有している。これらのフィーチャは、前記照明装置が、前記光互変性材料上に紫外光のパターンを生成することが可能になり、結果として、活性化された光互変性材料の対応するパターンをもたらす。
【００１９】
一実施例において、前記光互変性層は、着脱可能なユニットの一部である。この光互変性材料は、ユーザによって着脱可能なユニット上に塗布されるインクであっても良い。このフィーチャは、ユーザが、個人的に設計された動的な照明効果を備える照明装置を開発することを可能にする。
【００２０】
本発明の他の見地において、本発明による照明装置における使用のための着脱可能なユニットを生成するための要素の一式であって、フェージング（fading）・パターンを生成するように、少なくとも、透明体と、光互変性インクを有する容器と、オプションとしての紫外光ＬＥＤペンによって前記光互変性層上に書くためのツールとを有する要素の一式が、提供される。
【図面の簡単な説明】
【００２１】
【図１】本発明による照明装置の実施例を模式的に示している。
【図２】前記光互変性材料及び射出窓の下流の図の一例を示している。
【図３】当該照明装置の第２の実施例を模式的に示している。
【図４】本発明による照明装置の一般的な実施例を模式的に示している。
【図５】本発明による照明装置における使用のための着脱可能なユニットを生成するための要素の一式を模式的に示している。
【発明を実施するための形態】
【００２２】
本発明の実施例は、ここで、添付の模式的な図面を参照して、単に例として記載される。この添付の図面において、対応する符号は、対応する部分を示している。
【００２３】
図１は、本発明による照明装置１の第１の実施例を模式的に示している。照明装置１は、可視光源１０、紫外光源１２、制御ユニット４０、光互変性層１６及び光射出窓１４（「射出窓」とも示される）を有している。この可視光源１０は、射出窓１４を通過して当該照明装置から出射する可視光１１を生成する。
【００２４】
本明細書において、「可視光」なる語は、特に、可視放射（ＶＩＳ）、即ち約４００〜７８０ｎｍの範囲の放射を称しているものである。例えば、使用される光源１０は、一組の青色、緑色及び赤色ＬＥＤであり得る。複数の色のこのような供給源が光源１０として使用される場合、前記光源は、（色混合によって）白色光を生成することができるように配され得る。同様に、このことは、従来技術において知られているように、青色発光源の青色光と黄色発光源の黄色光との混合によって（青色ＬＥＤ及び黄色発光蛍光体に基づく白色ＬＥＤを含む）によって達成されることができる。しかしながら、如何なる可視光源も、実質的には紫外光を発しない場合、使用されることができる。
【００２５】
光互変性層１６は、射出窓１４の上流に設けられる。「上流」及び「下流」なる語は、光線１１の伝播の方向に関するものであり、即ち光線１１内の第１の位置に対して、光源１０により近い前記光線の第２の位置は『上流』であり、光源１０から離れている前記光線内の第３の位置は『下流』である。図１において、例えば、射出窓１４は、光源１０の下流であり、光源１０は、射出窓１４の上流である。光互変性層１６は、光源１０の下流であるが射出窓１４の上流に、配されている。
【００２６】
光互変性層１６は、光互変性材料１５を備えている領域を有している。前記光互変性材料は、好ましくは、紫外光互変性材料である。一般に知られている紫外光互変性材料は、十分な紫外光又は日光を浴びるまで、だいたい無色である。紫外光に露光されると、この材料は、実質的により明るく有色になり、次いで、ひとたび紫外光が取り除かれると、無色のものにフェードして戻る。光互変性層１６は、光互変性材料１５の異なる領域１７を有し得る。好ましくは、前記光互変性材料は、可視光１１の少なくとも一部が、照明装置１の外側に漏出するように実質的に妨害されずに光互変性材料１５を通過するのを可能にする、この実施例は、図１及び２に示される。光１１の一部は、これらの実施例において示されている領域１７の光互変性材料１５を通過して透過される又は実質的に遮断され得るのに対し、光１１の他の部分は、前記光互変性材料の存在によって実質的に妨害されてない照明装置１の外側に漏出する。
【００２７】
光互変性材料の種類の例は、スピロ‐ナフサオキサジン及びナフトピランである。光互変性に関する更なる情報は、 www.photochromics.co.uk において利用可能である。
【００２８】
紫外光源１２が、第１の色状態又は非活性化状態から第２の色状態又は活性化状態まで光互変性材料１５を変化させるための紫外光を生成するように配される。「紫外光」なる語は、特に、約２００〜４００ｎｍ、とりわけ３００〜４００ｎｍの範囲から選択された波長を有する放射に関する。
【００２９】
好ましくは、実質的に無色である第１の色状態と、当該材料が明るく有色である第２の色状態とを有する光互変性材料が、使用される。前記光互変性材料の色を変化は、光射出窓１４を通過して照明装置１を出る可視光の色を変化させる。動的な照明効果を得るために、紫外光源１２は、制御ユニット４０に電気的に結合される。制御ユニット４０は、変調された紫外光を得るように紫外光源１２を交互にオン／オフに切替える信号を生成する。光互変性材料１５は、紫外光の交互の露光に応じて、無色にから多彩に及び多彩から無色に変化する。従って、切換可能な光パターン効果を備える照明装置１が、実質的に移動部分を有することなく達成される。この光互変性層は、長く紫外光に露光されないほど、無色にフェードし、無色に留まる。このことは、前記照明装置は、紫外光源が使用されない限り、動的な効果を伴うことなく通常の照明装置として動作することを意味する。紫外光が紫外光互変性材料１５上に入射し、当該材料に色を変化させた場合、前記光互変性材料は活性化され、従って、動的な照明効果をもたらす。ここで、照明装置１から発される光は、光互変性材料１５の色の変化によって影響を受け、光互変性材料の領域に対応している投射されるパターンは、（例えば、壁上に）可視的なものである。図１に示されているように、光互変性層１６は、光互変性材料１５を備えている領域を有する。図２は、一例として、光互変性材料１５及び射出窓１４の領域の下流の図を示している。活性化される場合、完全に活性化された光互変性材料の一部のパターンは、壁又は天井に対する投射として可視的なものである。
【００３０】
前記光互変性材料を完全な非活性化状態から完全な活性化状態まで変化させるのに必要な期間は、紫外光の束及び露光期間に依存する。この活性化期間は、１秒よりも遥かに短いものであることができる。前記光互変性材料を完全な活性化状態から完全な非活性化状態まで変化させるのに必要な期間は、前記光互変性材料のフェードレート又は回復期間に依存する。各光互変性材料は、特徴的なフェードレート又は回復期間を有することに留意する必要がある。例えば、色合いが１２秒間で最大強度から７５％だけフェードする光互変性材料と、色合いが１８６５秒間において最大強度から７５％だけフェードする他の材料とが存在する。異なるフェージング特性を有する領域の使用は、付加的な動的な照明効果を生成するのを可能にし、一部の領域は、他の領域よりも速く無色状態にフェードして戻る。
【００３１】
一実施例において、制御ユニット４０は、命令を含んでいるプロセッサ及びメモリを有しており、前記命令は、前記プロセッサ上で実行された場合、前記プロセッサが、予めプログラムされた照明効果を生成するように予めプログラムされた順序において紫外光源１２をオン／オフに切り替えるための制御信号を生成するのを可能にする。オプションとして、可視光源１０は、可視光１１を変調するために制御ユニット４０に電気的に接続されることができる。
【００３２】
光射出窓１４は、可視光１１の透過を可能にする。このことは、前記射出窓が、透明材料及び／又は半透明材料を有することを意味し得る。「透過を可能にする」なる句は、前記光が、拡散して又は拡散せずに前記射出窓を通過することを示している。前記半透明材料は、粗くされた透明材料であり得る。半透明材料を作る方法は、従来技術において知られている。使用されることができる適切な透明材料の例が、選択されることができ、例えば、ガラス、ＰＥ（ポリエチレン）、ＰＰ（ポリプロピレン）、ＰＥＮ（ポリエチレン ナフタレート）、ＰＣ（ポリカーボネート）、ポリメチルアクリレート（ＰＭＡ）、ポリメチルメタクリレート（ＰＭＭＡ）（プレキシガラス又はパースペックス（登録商標））、セルロース アセテート ブチレート（ＣＡＢ）、ポリカーボネート、ポリ塩化ビニル（ＰＶＣ）、ポリエチレンテレフタレート（ＰＥＴ）、グリコール修飾ポリエチレンテレフタレート（ＰＥＴＧ）、ＰＤＭＳ（ポリジメチルシロキサン）及びＣＯＣ（シクロオレフィン共重合体）を含むグループから選択されることができ、これらの材料は、透明なシートとして設けられることができる。他の実施例において、半透明な材料は、アクリレート（例えば、ＰＭＡ又はＰＭＭＡ、特にＰＭＭＡ）を有する。このような材料は、透明なプラスチックとして従来技術においても知られている。更に他の実施例において、半透明な材料は、ＰＥＲＳＰＥＸ（登録商標）又はＰＲＩＳＭＥＸ（登録商標）として商業的に知られている透明なプラスチックを有する。当業者に知られている他の実質的に透明な材料も、使用されることができる。２つ（以上）の材料の組み合わせが、使用されることもできる。
【００３３】
上述したように、光互変性材料１５は、紫外光の露光によって活性化される。光互変性材料１５が日光又は他の外部の紫外光源によって活性化されるのを防止するために、この紫外光は、実質的に遮断されなければならない。従って、光射出窓１４は、外部の紫外光を遮断するための特性を有し得る。この光射出窓１４は、紫外光をフィルタリングする又は遮断する材料でできていても良い。前記光射出窓の材料が、紫外光を十分に遮断しない場合、紫外線フィルタ１９は、光射出窓１４上に設けられることができる。図１において、紫外線フィルタ１９は、射出窓１４の外側表面上のコーティングであり、紫外遮断体として機能している。紫外線フィルタは、代替的には、光射出窓１４の内側表面上のコーティングであっても良い。原則として、外部の紫外光を遮断するための紫外線フィルタ１９は、光互変性層１６の下流の如何なる位置にあっても良い。
【００３４】
オプションとして、紫外線フィルタ１８は、紫外線光源１２の下流、かつ、光互変性層１６の上流に設けられることができる。紫外線フィルタ１８は、別個の層又は光互変性材料１５上のコーティングであっても良い。
【００３５】
紫外線フィルタ１８は、光互変性材料を含み得る。このような材料は、紫外線フィルタとして使用されることができるからである。
【００３６】
紫外線フィルタ１８は、熱散乱材料を含み得る。この場合、照明装置１は、赤外光を生成するように配されている１つ以上の赤外光源２１を更に有する。「赤外光」なる語は、特に、約７８０ｎｍから１ｍｍまでの範囲から選択される波長を有する光に関する。赤外光は、前記熱散乱材料の状態を変化させるのに使用される。熱散乱材料は、例えば、米国特許第４ ９００ １３５及び米国特許第６ ３６２ ３０３号から知られている。
【００３７】
紫外線フィルタ１８は、所定の回復期間を有しており、紫外線遮断体として機能し、紫外光互変性材料１５上に入射する紫外光の量を減少させる。紫外線フィルが１８は、好ましくは、全ての光互変性材料１５にわたって延在しているわけではないが、特定の領域のみを覆っている。更に、紫外線フィルタ１８は、例えば、紫外線フィルタ１８を形成している層の様々な厚さによって、フィルタリング領域にわたって変化するフィルタリング特性を有することができる。従って、光互変性材料は、様々な量の紫外光に露光されることができ、この結果、光互変性材料１５の様々な色の強度をもたらす。このことは、様々なフェード期間を可能にし、従って、付加的なダイナミックレンジのパターンは、時間の関数として変化する。前記フェード期間又は回復期間は、最大の色の強度から所定のパーセンテージだけフェードするのに必要な期間として表されることができる。使用される幾つかのパーセンテージは、２５％、５０％、７５％である。光互変性材料の退色期間が、一般的な色の強度の上昇によって増大することは、当業者にとって明らかである。
【００３８】
赤外光源２１は、制御ユニット４０に電気的に接続されている。制御ユニット４０は、赤外光源２１を赤外光２２の変調されたビームを生成するために制御するように配されており、赤外光２２の変調されたビームは、前記紫外線フィルタが熱散乱材料を有している実施例において、紫外線フィルタ１８の特性に影響を与える。紫外線フィルタ１８の材料が加熱された場合、このフィルタは、熱散乱材料の種類に依存して、紫外線遮断状態（散乱状態）から非遮断状態（透明状態）まで変化する、又は非遮断状態（透明状態）から紫外線遮断状態（散乱状態）まで変化する。光互変性層１６の紫外光光互変性材料１５が露光される紫外光１３の強度は、このような態様で制御されることができる。
【００３９】
図３は、照明装置１の第２の実施例を模式的に示している。この実施例において、光互変性層１６を形成している光互変性材料１５は、光射出窓１４の内側におけるコーティングである。光互変性材料１５は、塗布又はインキングによって、光射出窓１４に設けられることができる。光互変性材料１５は、光射出窓１４の内側表面に沿って、少なくとも部分的に延在する。
【００４０】
光互変性材料１５と、オプションとしての光射出窓１４と、光射出窓１４の外側表面におけるオプションとしての紫外線フィルタ１９とは、着脱可能なユニット３０の一部であっても良く、又は着脱可能なユニット３０を形成していても良い。この場合、ユーザは、光互変性材料１５の特定のパターンを備えている前記着脱可能なユニット３０を取り除き、これを異なるパターンを備えている他の着脱可能なユニット３０と交換することができる。
【００４１】
前記第２の実施例による照明装置１は、２つの可視光源１０及び２つの紫外光源１２'、１２''を更に備えている。紫外光源１２'及び１２''の各々は、光互変性層１６の異なる領域２７'及び２７''を照射する。異なる領域２７'、２７''は、重複する領域を有していても良く、又は一方領域が他方の領域を包囲していても良い。この２つの紫外光源１２'及び１２''は、両方とも制御ユニット４０に電気的に接続されている。好ましくは、２つの紫外光源１２'及び１２''は、互いに独立に制御されることができる。図３において、２つの紫外光源１２'及び１２''間のルーバ２３は、光互変性材料１５の２つの異なる領域又は範囲２７'及び２７''上に入射する２つの異なる紫外光ビーム１３を得るように設けられている。図３に示されているルーバ２３の代わりに、当業者に一般的に知られているビームコントローラ、コリメータ、ミラー、レンズ及び他の光ガイド手段が、光互変性材料１５の２つの異なる領域上に入射する２つの光線を得るために使用されることができる。
【００４２】
独立にオン／オフに独立に切替えられることができる２つ以上の紫外光源１２'及び１２''によって、様々な束を有する様々な時点における光互変性材料１５の様々な領域の活性化が可能である。従って、光互変性材料１５の各領域は、様々な色の強度を有することができ、様々な動的な照明効果を提供することができる。
【００４３】
紫外光源１２、１２'及び１２''は、光互変性材料１５を、数十秒間で、完全な非活性化状態（即ち光互変性材料の分類に関して実質的に無色の状態）から、完全な活性化状態（即ち最大強度を有する有色の状態）に切替えるために紫外光の充分な束を生成するように配されることができる。このフェード・オン期間、即ち光互変性材料を前記完全な非活性化状態から前記完全な活性化状態に変化させるのに必要とされる期間は、前記光互変性材料が露光される紫外光の束又は平均束の減少によって延長され得る。このことは、紫外光源１２に供給される又は伝達される電力を減少させることによってなされ得る。一実施例において、前記電力は、パルス幅変調（ＰＷＭ）信号によって紫外光源１２をオン及びオフに切替えることによって減少される。このことは、前記紫外光源にＰＷＭ供給電圧／電流を供給することによってなされ得る。紫外光源によってＰＷＭ紫外光を得る他の実施例及び対応する回路は、当業者に一般的に知られている。コントローラ４０は、紫外光源１２'、１２''を制御するためにＰＷＭ信号を生成する。前記ＰＷＭ信号のパターンが、前記フェード・オン特性、即ち第１の有色状態から第２の有色状態への遷移の特性を決定する。遷移特性は、前記フェード・オン期間及び色の強度の時間における勾配であり得る。例えば、この色の強度を、時間において、線形的に、対数的に又は逆対数的に増大させることが、可能である。
【００４４】
更に、コントローラ４０は、光互変性材料１５の第２の色状態（即ち活性化状態）から第１の色状態（即ち非活性化状態）までの遷移を制御するように配されることができる。前記光互変性材料１５が紫外光１３に露光されない場合、この材料１５は、前記活性化状態から前記非活性化状態にフェードする。各紫外光光互変性材料１５は、自身のフェードレートを有する。前記紫外光光互変性材料の小さいパーセンテージは、紫外光のショートパルスの生成によって、再び活性化されることができ、この結果、前記光互変性材料の色の強度の上昇をもたらす。ＰＷＭ信号は、紫外光の前記ショートパルスを生成するために使用されることができる。このような仕方において、材料１５の顕著なフェードレートを延長することが可能である。光互変性材料１５の色の強度を所定のレベルに維持することさえも可能である。パルスの全体幅又は短い時間帯内のパルスの数は、光互変性材料１５の色の強度の上昇の度合いを決定する。
【００４５】
一般に、ＰＷＭ紫外光のパルスは、制御可能な仕方において光互変性材料１５の色の強度を増大させる。光互変性材料１５のフェードレートが既知であるので、当業者は、対応する光互変性材料１５の何らかの色の強度の勾配のためのＰＷＭ制御信号を生成することができる。
【００４６】
図４は、本発明による照明装置１のブロック図である。装置１は、１つ以上の可視光源１０と、１つ以上の紫外光源１２と、オプションとしての１つ以上の赤外光源２１と、制御ユニット４０とを有する。照明装置１は、ユーザインタフェース５０を更に有する。ユーザインタフェース５０は、制御ユニット４０に電気的に接続されている。ユーザインタフェース５０又はユーザ入力装置は、ユーザによって選択される発光装置１によって生成される照明を（「ローカル」又は「リモート」の）制御する。このインターフェース又は入力装置５０は、直感的な仕方において、エンドユーザが、利用可能な設定に沿ってどのように操縦することができるかを示している制御動作ボタンを有することができる。インテリジェントマイクロプロセッサは、ユーザがアルゴリズムを介して動的な照明効果を生成するのを可能にすることができる。ユーザインタフェース５０は、遠隔制御ユニットを有することができる。
【００４７】
オプションとして、照明装置１は、（バイオ）フィジカル入力パラメータを測定する、音声及びビデオを記録する及び照明条件を測定する等のためのセンサ６０を有していても良い。
【００４８】
インテリジェント（バイオ）フィジカル入力パラメータ及び／又は音声／ビデオの監視は、人の無意識の振る舞い（動き、声、選択された音楽、表情）又は活動（起床、読書、就寝）を、前記照明装置の或る設定又は前記照明装置の動的な照明効果に翻訳するのに使用されることができる。以下に要約されるように、様々な可能性が存在するが、本発明は、これらに限定されるものではない。
【００４９】
ユーザのムード／感情を検出するために、１つ以上のセンサ６０は、別個の装置として利用されることができる、及び／又はユーザインタフェース４３内に組み合わせられることもできる。代替的には、ビデオ／音声記録は、声及び／又は表情（微笑んでいる、悲しい、笑っている、開いた／閉じた目、目覚め、うとうとしている、眠そうな）を検出するのに使用されることができる。
【００５０】
一実施例において、センサ６０は、目標とされている壁又は天井までの距離を測定するための距離センサを有している。測定される距離は、明確な投射のための最良の焦点距離の指標を提供する。更に、照明装置１は、セルフフォーカシング機能を照明装置１に付加するために、集束構造（図示略）、例えば、可動レンズ又はレンズに対して移動可能である光源を有していても良い。
【００５１】
一実施例において、紫外光源１２は、紫外線レーザービームを生成するレーザ装置と、前記紫外線レーザービームを光互変性層１６全体にわたって導くためのビームコントローラ２０とを有する。前記紫外線レーザービームは、光互変性材料１５の小さいスポットを照明することができるのみであり、従って、小さい領域が、より高い色の強度を有する。ビームコントローラ２０は、前記スポットを光互変性材料１５を横切って移動させることができ、増大された色の強度の光互変性材料１５の軌跡を与える。従って、パターンは、レーザーショーにおけるレーザ画像の生成と類似の技術によって前記光互変性材料上に描画されることができる。ビームコントローラ２０は、この方位が制御されることができるミラーを有していても良い。他の実施例において、前記紫外光源は、前記レーザスポットが光互変性材料１５を横切って移動されるように、前記紫外光源の方位を変化させることができる配置において取り付けられる。
【００５２】
一実施例において、紫外光源１２は、紫外線ＬＥＤと、光互変性材料１５の小さいスポットを照明する集束された紫外線ビームが生成されるように、前記紫外光を集束させる集束手段（図示略）を有すると共に、前記集束された紫外線ビームを光互変性層１６を横切って移動させるビームコントローラ２０を有し、増大された色の強度の光互変性材料１５の軌跡を与える。ビームコントローラ２０は、この方位が制御されることができるミラーを有していても良い。他の実施例において、前記紫外光源は、紫外光の前記スポットを光互変性材料１５を横切って移動させるために紫外光源の方位を変化させることができる配置において取り付けられる。
【００５３】
可視光源１０は、例えば、ＬＥＤであり得るが、１つ以上の可視光源１０は、フィラメントランプ、蛍光ランプ（特に管状発光（ＴＬ）ランプ及び小型の蛍光ランプ（ＣＦＬ））、ハロゲンランプ、低圧ガス放電ランプ、高圧ガス放電ランプ、ＬＥＤ及びオプションとして更にＯＬＥＤを含むグループから選択されることもできる。実質的には紫外光を発しない如何なる可視光源も、原則として使用されることができる。
【００５４】
幾つかの紫外光光互変性材料に関して、前記フェードレート又は回復期間は、前記紫外光光互変性材料１５の温度に依存することに更に留意されたい。温度の上昇により、前記フェードレートは、増大し、即ちフェード期間は短縮される。このような材料に関して、赤外光源２１からの赤外光のレーザービームは、光互変性材料の温度を局所的に増大させるのに使用されることができる。このことは、前記被加熱材料の色の強度の速い減少をもたらし、照明装置１から投射される可視光の付加的な照明効果をもたらす前記光互変性材料内のパターンとして明らかになる。
【００５５】
図５は、本発明による照明装置における使用のための着脱可能なユニット３０を生成するための要素のキットを模式的に示している。上述したように、光互変性層１６は、着脱可能なユニット３０の一部であり得る。着脱可能なユニット３０は、光互変性材料１５が設けられている支持部を有している。着脱可能なユニット３０は、図３に示されているように、照明装置１の光射出窓１４を含んでいても良い。着脱可能なユニット３０は、代替的には、光射出窓１４の上流において挿入されるべきスライド挿入物であり得る。着脱可能なユニット３０を交換することによって、ユーザは、異なる設計の光互変性インクを選択することができる。ユーザは、透明体４２と紫外光互変性インクを備える１つ以上の容器４３とを有する要素の一式４１によって、自身の設計によって着脱可能なユニット３０を生成することができる。オプションとして、要素の一式４１は、紫外線ＬＥＤペンによって前記光互変性材料上に書くための道具４４を更に有する。フェージングパターンは、このように生成されることができる。この紫外線ＬＥＤペンは、増大された強度の光互変性材料の手描きのターンを得るように、パターンを前記着脱可能なユニットの前記光互変性材料上に描くのに使用されることができる。
【００５６】
本明細書及び添付請求項における「第１の」及び「第２の」等の語は、類似の要素をと区別するために使用されているものであり、必ずしも順次的な又は経時的な順序を記述しているわけではないことに留意されたい。このように使用されている語は、適切な状況下で交換可能であり、本願明細書に記載されている本発明の実施例は、本明細書に記載されていない又は示されていない順序において動作することも可能であることを理解されたい。
【００５７】
上述の実施例は、本発明を制限するというよりは、むしろ説明しているものであり、当業者であれば、添付請求項の要旨を逸脱することなく多くの代替的な実施例を設計することができることに留意されたい。前記請求項において、括弧内に配されている如何なる符号も、前記請求項を制限するものとして解釈されてはならない。「有する」という語は、請求項に記載されていない構成要素又はステップの存在を排除するものではない。単数形の構成要素は、複数のこのような構成要素を排除するものではない。本発明は、幾つかの別個の要素を含んでいるハードウェアによって実施化されることが可能であり、適切にプログラムされたコンピュータによって実施化されることも可能である。幾つかの手段を列挙している装置の請求項において、これらの手段の幾つかは、ハードウェアの全く同一の項目によって実施されることができる。特定の手段が、相互に異なる従属請求項において引用されているという単なる事実は、これらの手段の組み合わせが有利になるように使用されることができないと示すものではない。
【図１】
0005508417.tif 000002
【図２】
0005508417.tif 000003
【図３】
0005508417.tif 000004
【図４】
0005508417.tif 000005
【図５】
0005508417.tif 000006